(57)【要約】【課題】低コストで断熱効率の優れた光電子増倍管保持装置を提供する。【解決手段】フォトマル８を熱的に周囲から遮断するために、フォトマル８とソケット１および回路基板３を１個の筐体内の収納し、さらに、数本の支柱１２上に鍔板４を固定することによって、さらに基板２からの熱伝導を最小限に抑える。ソケット１はフォトマル８を搭載した状態で、底板１１と筐筒１５と上板１６によって囲まれた一つの部屋の中に保持されている。筐筒１５はアルミニウム引抜材を用いた角型パイプを本実施例では用いた。底板１１と上板１６もアルミニウム板を用いた。さらに、断熱性を持たせるために筐筒１５と上板１６の外面には、断熱材１７の板を張り付けてある。４本の支柱１２の上にソケット１に付属している鍔板４が、上側挟持板１３と下側挟持板１４に挟まれた状態で、留めネジ５によって固定されている。【選択図】          図１
2010170869.tif 000002
【特許請求の範囲】
【請求項１】
光電子増倍管の電極をソケットに開口した挿入孔に挿入するとともに、ソケットの胴体周囲に鍔板を固設し、この鍔板を支柱に付設した２枚の板で挟持させて支柱に固定保持することを特徴とする光電子増倍管保持装置。
【請求項２】
前記支柱が１個の筐体内に植設され、前記筐体が前記光電子増倍管とソケットを収納することを特徴とする請求項１記載の光電子増倍管保持装置。
【発明の詳細な説明】
【技術分野】
【０００１】
本発明は、種々の分析装置に使用される光電子増倍管用を確実に保持する光電子増倍管用保持装置に関する。
【背景技術】
【０００２】
液体クロマトグラフの蛍光検出器、ＵＶ検出器、あるいは各種の分光光度計には、光強度を電流に変換する光電子増倍管（以下単にフォトマルと略称する）が広く使用されている。もっとも頻度高く使用されているサイドオン型のフォトマルについて従来一般的に用いられている保持方法を図４に示す。
【０００３】
図４の（ａ）は、ソケット１が保持された状態を側面より観察した図であり、（ｂ）はソケット１を上方から観察した図である。
【０００４】
ソケット１は円筒形を呈しており、上面には図４の（ｂ）に示すように複数の電極穴７が備えられている。この電極穴７には、フォトマル８の底部から突出している電極１０が挿入される。
【０００５】
ソケット１のそれぞれの電極穴７は、ソケット１の底部に備えられた端子９に電気的に接続されており、端子９の先には回路基板３が取り付けられている。回路基板３上には、フォトマル８に供給される電圧を各電極１０に分配するための分配抵抗など電気回路が搭載されており、リード線６を介して分析装置の電源あるいは測光系に接続されている。
【０００６】
図４の（ｂ）に示すように、ソケット１の円筒形胴部には、菱形の鍔板４がソケット１と一体的に取り付けられており、鍔板４には、取り付け穴が通常２個備えられている。
【０００７】
図４の（ａ）に示すように、ソケット１は基板２に開口された穴に下方より挿入され、留めネジ５などの手段で基板２に固定される。基板２の上には、フォトマル８以外のミラー、レンズなどの光学部品が配設されて、分析装置の光学系を構成する。
【先行技術文献】
【特許文献】
【０００８】
【特許文献１】特開平８−５０８７７号公報
【発明の概要】
【発明が解決しようとする課題】
【０００９】
フォトマルは、極めて微弱な光を感度良く検出する手段として有効なものであるが、周囲温度の変動によって出力が不安定になる欠点がある。これを克服して、極めて安定した測定を行うためには、フォトマルおよびこれに接触しているソケットと回路基板を周囲から熱的に遮断する必要がある。しかしながら、図４に示したような従来のソケット保持方法では、フォトマルとソケット・回路基板が基板によって分割された上下の空間にまたがって保持されるため、それぞれの空間で個別に断熱材で囲む必要が生じ、製造コストの増大を招く。また、基板と鍔板との接触面積が大きいため、基板からの熱を効果的に遮断できない欠点もあった。
【課題を解決するための手段】
【００１０】
本発明は上記の従来法の欠点を解決して、周囲からの断熱性を向上させる光電子増倍管保持装置を提供するものであり、第１の発明は、光電子増倍管の電極をソケットに開口した挿入孔に挿入するとともに、ソケットの胴体周囲に鍔板を固設し、この鍔板を支柱に付設した２枚の板で挟持させて支柱に固定保持することを特徴とする。さらに第２の発明は、前記支柱が１個の筐体内に植設され、前記筐体が前記光電子増倍管とソケットを収納することを特徴とする。
【発明の効果】
【００１１】
フォトマルを周囲から熱的に遮断して、高感度で安定した測定が可能な分析装置用の光電子増倍管保持装置を提供する。
【図面の簡単な説明】
【００１２】
【図１】本発明にかかる光電子増倍管保持装置の１実施例を示す図である。
【図２】図１のＡ−Ａ'断面の俯瞰図である。
【図３】本発明の実施例の光電子増倍管保持装置の部分拡大図である。
【図４】従来の光電子増倍管用ソケット保持装置を示す図である。
【発明を実施するための形態】
【００１３】
フォトマルを熱的に周囲から遮断するために、フォトマルとソケットおよび回路基板を１個の筐体内に収納し、さらに、数本の支柱上に鍔板を固定することによって、基板からの熱伝導を最小限に抑える。
【実施例１】
【００１４】
本発明の１実施例を、図１および図２に示す。図１は、本発明の保持具の一つの側面を通して内部を透視した時の図である。また、図２は、図１におけるＡ−Ａ'断面を上から見た図である。図１および図２の実施例に用いたフォトマル用のソケット１は、従来法における図４に示したソケット１と同一の物である。
【００１５】
図１および図２に示すように、ソケット１はフォトマル８を搭載した状態で、底板１１と筐筒１５と上板１６によって囲まれた一つの部屋の中に保持されている。筐筒１５はアルミニウム引抜材を用いた角型パイプを本実施例では用いた。底板１１と上板１６もアルミニウム板を用いた。さらに、断熱性を持たせるために筐筒１５と上板１６の外面には、断熱材１７の板を張り付けてある。
【００１６】
図１に示すように、底板１１には４本の丸棒状の支柱１２がネジ等の手段で取り付けられている。各支柱１２の上端には留めネジ５用のネジ穴が支柱１２の中心に穿設されている。このネジ穴を利用して、４本の支柱１２の上にソケット１に付属している鍔板４が、上側挟持板１３と下側挟持板１４に挟まれた状態で、留めネジ５によって固定されている。
【００１７】
支柱１２の長さは、鍔板４から回路基板３の下面までの距離より長く作られているため、回路基板３もまた、フォトマル８とソケット１と同じ空間の中に収容される。図１および図２では省略したが、回路基板３から出るリード線６（図４）は筐筒１５あるいは底板１１に開けられた穴を介して分析装置の電源部および測光系に接続されている。
【００１８】
図２に示すように、上側挟持板１３は円環形をした板で、角度９０度置きに留めネジ５のための穴のあいた突起がある。下側挟持板１４は図２では隠れているが、その形状は上側挟持板１３と同一である。また、鍔板４は、丸みのある菱形をしており、図２に示すように、左右に１個ずつ開けられた穴を用いて留めネジ５が上側挟持板１３と共に、支柱１２（図２では隠れている）の上に固定されている。
【００１９】
ソケット１の鍔板４は、図２の上下方向では幅が小さくなっている。この部分の支柱１２と鍔板４と上側・下側挟持板１３、１４の取り付け方を、図３に断面図として示した。図３で示すように、ソケット１の胴部から出る鍔板４の外端は留めネジ５のネジ部に接触する。留めネジ５を締めることにより、上側挟持板１３と下側挟持板１４の内側で鍔板４を挟持している。
【００２０】
図１および図２に示すように筐筒１５と断熱材１７を通して窓１８が開口され、その内部に石英板などを材料とする窓板１９が嵌め込まれている。この窓１８と窓板１９を通して測定される光束がフォトマル８の受光面に入射する。
【００２１】
上記のような構造を有する本発明にかかる光電子増倍管保持具は、共通の空間にフォトマル８とソケット１と回路基板３を収容するため、構造が単純になり製造コストを抑えることができる。また、支柱１２によってソケット１を保持するため基板２からの熱伝導を小さく抑えることができる。さらに、上側挟持板１３と下側挟持板１４の２枚の板でソケット１の鍔板４を保持する方法は、支柱１２の位置や本数を比較的自由に選択できる簡便で効率的な方法である。
【００２２】
このような特徴によって、本発明にかかる光電子増倍管保持装置は、低コストでしかも断熱効果の高い保持装置として利用することが可能となる。
【００２３】
本発明における特徴は、上述したとおりであるが、上記ならびに図示例に限定されるものではなく、種々の変形例を含む。たとえば、支柱（図１の１２）の本数は４本に限定されず、２本以上であれば同様な効果を得ることができる。
【産業上の利用可能性】
【００２４】
本発明は、種々の分析装置に使用される光電子増倍管用ソケットを確実に保持する光電子増倍管保持装置を提供する。
【符号の説明】
【００２５】
１  ソケット
２  基板
３  回路基板
４  鍔板
５  留めネジ
６  リード線
７  電極穴
８  フォトマル
９  端子
１０  電極
１１  底板
１２  支柱
１３  上側挟持板
１４  下側挟持板
１５  筐筒
１６  上板
１７  断熱材
１８  窓
１９  窓板
【図１】
2010170869.tif 000003
【図２】
2010170869.tif 000004
【図３】
2010170869.tif 000005
【図４】
2010170869.tif 000006